(57)【要約】【課題】比較的大きな塵埃を吸引した場合でも塵埃詰まりがなく、塵埃の流動性の良い電気掃除機用吸込具および電気掃除機を提供すること。【解決手段】一端を吸込具本体１の略中央部後方に接続され左右または上下方向に回動自在なアーム６と、一端を前記アーム６の他端に上下または左右方向に回動自在に接続されると共に、他端を延長パイプ９に接続される接続パイプ７と、吸込口４から延長パイプ９に至る流路を連通する連通路８を備えた吸込具において、前記接続パイプ９の連通路８を前記延長パイプ９との接続部に向かって断面積が拡大するように形成したので連通路８内を通過する塵埃を詰まらせることなくスムーズに掃除機本体の集塵室に吸引することができる。【選択図】図１
2007313178.tif 000002
【特許請求の範囲】
【請求項１】
上面を形成する上部材と、底面に下方開口の吸込口を有する下部材とで吸込具本体を形成し、一端を前記吸込具本体の略中央部後方に接続され左右または上下方向に回動自在なアームと、一端を前記アームの他端に上下または左右方向に回動自在に接続されると共に、他端を延長パイプに接続される接続パイプと、前記吸込口から延長パイプに至る流路を連通する連通路を備えた吸込具において、前記接続パイプの連通路を前記延長パイプとの接続部に向かって断面積が拡大するように形成した電気掃除機用吸込具。
【請求項２】
接続パイプの連通路は被掃除面側である下面を基準に、前記連通路の断面積を拡大するように構成した請求項１記載の電気掃除機用吸込具。
【請求項３】
吸引風を発生する電動送風機を内蔵した掃除機本体と、請求項１または２項に記載の電気掃除機用吸込具を前記掃除機本体に接続されるホースおよび延長パイプを介して連通させた電気掃除機。
【発明の詳細な説明】
【技術分野】
【０００１】
本発明は、主に電気掃除機に使用される吸込具に係り、特に電気掃除機用吸込具に設けられる接続パイプの構造に関するものである。
【背景技術】
【０００２】
従来、この種の電気掃除機用吸込具は図３に示されるような構造になっていた。この電気掃除機用吸込具は図に示すように、吸込具本体２０に上下に回動自在に接続された連通管２１と、連通管２１にその周方向に回転自在に接続された接続管２２とからなり、前記連通管２１が床面に対して略水平な位置の時、前記連通管２１における接続管２２が接続される端部側を吸込具本体２０から遠ざかるよう斜め下方に形成し、連通管２１と接続管２２の接続部の回動面を床面に対し斜めに形成し、連通管２１の略中央部に断面積を拡大した拡張部２３を形成した構造としている（例えば、特許文献１参照）。
【特許文献１】特開平１１−２９０２５０号公報
【発明の開示】
【発明が解決しようとする課題】
【０００３】
しかしながら、上記従来の構成では、連通管２１の略中央部に断面積を拡大した拡張部２３を形成しているので、連通管２１の中央部の断面積よりもその下流側の断面積が大きくなるため、連通管２１内の風速が下流側で遅くなるものである。そのため、吸引された塵埃が連通管２１を通過する際に拡張部２３で一旦減速することになり、紙屑やティッシュペーパー等の比較的大きな塵埃を吸引した場合に詰まり易いという課題を有していた。
【０００４】
本発明は、前記従来の課題を解決するもので、比較的大きな塵埃を吸引した場合でも塵埃詰まりがなく、塵埃の流動性の良い電気掃除機用吸込具および電気掃除機を提供することを目的とする。
【課題を解決するための手段】
【０００５】
前記従来の課題を解決するために、本発明の電気掃除機用吸込具は、接続パイプ部の連通路を延長パイプとの接続部に向かって断面積が拡大するように形成したものである。
【０００６】
これによって、接続パイプ内の連通路が後方側（延長パイプの塵埃通過流路）に向かって拡大され、連通路内を通過する塵埃を詰まらせることなくスムーズに電気掃除機本体の集塵室に吸引することができる。
【発明の効果】
【０００７】
本発明の電気掃除機用吸込具は、連通路内での塵埃の詰まりを防止することができる。
【発明を実施するための最良の形態】
【０００８】
第１の発明は、上面を形成する上部材と、底面に下方開口の吸込口を有する下部材とで吸込具本体を形成し、一端を前記吸込具本体の略中央部後方に接続され左右または上下方向に回動自在なアームと、一端を前記アームの他端に上下または左右方向に回動自在に接続されると共に、他端を延長パイプに接続される接続パイプと、前記吸込口から延長パイプに至る流路を連通する連通路を備えた吸込具において、前記接続パイプの連通路を前記延長パイプとの接続部に向かって断面積が拡大するように形成することにより、接続パイプ内の連通路が延長パイプ側に向かって拡大しながら延長パイプの塵埃通過流路と連通されるため、連通路内を通過する塵埃を詰まらせることなくスムーズに電気掃除機本体の集塵室に吸引することができる。
【０００９】
第２の発明は、第１の発明において、接続パイプの連通路は被掃除面側である下面を基準に、前記連通路の断面積を拡大するように構成することにより、接続パイプを被掃除面に略平行にしたときに接続パイプ下面が被掃除面に接触することが無く、床面や畳などの表面に対して傷付き等を防止することができる。
【００１０】
第３の発明は、第１または第２の発明において、吸引風を発生する電動送風機を内蔵した掃除機本体と、請求項１または２項に記載の電気掃除機用吸込具を前記掃除機本体に接続されるホースおよび延長パイプを介して連通させた電気掃除機とすることにより、電気掃除機としての操作性、使用性を向上することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における吸込具の中央断面図、図２は同吸込具を装着した電気掃除機の全体斜視図である。
【００１３】
図１において、１は吸込具本体であり、上側面を形成する上部材２と、下面を形成する下部材３を上下に合わせて構成されている。下部材３の底面には下方開口の被掃除面上の塵埃を吸い込むための吸込口４が設けられている。
【００１４】
吸込具本体１の略中央部後方には自在連結部５が取り付けられており、自在連結部５は、一端を上部材２と下部材３に挟持されて上下方向に回動自在に配設されたアーム６と、一端を前記アーム６の他端に左右方向に回動自在に接続された接続パイプ７とから構成されており、接続パイプ７の他端は延長パイプ９の一端に接続されるように構成されている。また、自在連結部５（アーム６、接続パイプ７）の内部は中空状に形成され、前記吸込口４と連通する連通路８を形成して吸込具を構成している。
【００１５】
図２において、１３は内部に被掃除面上の塵埃を吸引するための電動送風機１４と、吸引した塵埃を集塵するための集塵部（図示せず）を有した電気掃除機本体で、前記集塵部と連通した接続口１２に一端を接続し他端には把手部１０を有したホース１１およびホース１１を介して接続される延長パイプ９が接続される。前記延長パイプ９の先端には上述の接続パイプ７が連通するように構成されている。また、接続口１２、ホース１１、延長パイプ９の内部は中空状に形成されており、吸引する塵埃の通過流路を成すと共に、前記連通路８の内径よりも径大としている。
【００１６】
接続パイプ７内の連通路８は、延長パイプ９側に向けて断面積が拡大されており、断面積の拡大方法として、接続パイプ７の被掃除面側に当たる下面を基準に上方向に向かって拡大するように構成されている。
【００１７】
なお、接続パイプにおける連通路８の断面積の拡大は、アーム６と接続パイプ７との接続部近傍から徐々にテーパ状に広げる方法や或いは、接続パイプ７の途中から突出（段上げ）させて平滑部を設けながら拡大する方法等があるが、接続パイプ７の延長パイプ９側の内径と延長パイプ９の内径を略同径になるように断面積を拡大するようにすればよいものである。
【００１８】
また、上述の自在連結部５は、一端を上部材２と下部材３に挟持されて上下方向に回動自在に配設されたアーム６と、一端を前記アーム６の他端に左右方向に回動自在に接続された接続パイプ７とから構成しているが、一端を上部材２と下部材３に挟持して左右方向に回動自在に配設されたアーム６と、一端を前記アーム６の他端に上下方向に回動自在に接続する接続パイプ７とで構成してもよく、接続パイプ７が被掃除面に略平行にできる軸構造を備えるようにすればよいものである。
【００１９】
次に動作、作用について説明すると、自在連結部５の接続パイプ７部内の連通路８を延長パイプ９側に向かってその断面積を拡大しているため、接続パイプ７部内の延長パイプ９側連通路８と延長パイプ９の内径がスムーズに略同径になるように流路を形成接続できるので、流路を拡大、縮小を繰り返す形で接続されないため、連通路８内を通過する塵埃を詰まらせることなくスムーズに電気掃除機本体１３内の集塵室に吸引することができる。また、接続パイプ７の下面を基準に断面積を拡大するため、接続パイプ７を被掃除面に略平行にしたときに、接続パイプ７の下面が被掃除面に接触することが無く、床面等への傷付きを防止できるものである。
【産業上の利用可能性】
【００２０】
以上のように、本発明にかかる電気掃除機用吸込具および電気掃除機は、連通路内を通過する塵埃を詰まらせることなくスムーズに掃除機本体の集塵室に吸引することができるので、集塵性能を向上させる機能をもたせる等の用途にも適用できる。
【図面の簡単な説明】
【００２１】
【図１】本発明の実施の形態１における吸込具の中央断面図
【図２】同吸込具を装着した電気掃除機の全体斜視図
【図３】従来の吸込具の中央断面図
【符号の説明】
【００２２】
１  吸込具本体
４  吸込口
５  自在連結部
６  アーム
７  接続パイプ
８  連通路
【図１】
2007313178.tif 000003
【図２】
2007313178.tif 000004
【図３】
2007313178.tif 000005